(57)【特許請求の範囲】
【請求項１】
一対の電極間に、下記一般式（１）で表される、分子内にラクタム環とイミド環を有する化合物を少なくとも１種含有する層を少なくとも一層挟持してなる有機電界発光素子。
【化１】
0003669783.tif 000143
（式中、Ｒ１およびＲ２はそれぞれ水素原子、アルキル基、アルケニル基、アラルキル基またはアリール基を表し、Ａｒは一般式（ａ）、（ｃ）および（ｄ）で表される基を表す）
【化２】
0003669783.tif 000144
（式中、Ｘ１１〜Ｘ１８、Ｘ３１〜Ｘ３４およびＸ４１〜Ｘ４６はそれぞれ水素原子、ハロゲン原子、アルキル基、アルコキシ基またはアリール基を表す）
【請求項２】
一般式（１）で表される分子内にラクタム環とイミド環を有する化合物を含有する層が発光層である請求項１記載の有機電界発光素子。
【請求項３】
さらに電子注入輸送層を有する請求項１または２記載の有機電界発光素子。
【請求項４】
さらに正孔注入輸送層を有する請求項１〜３のいずれかに記載の有機電界発光素子。
【請求項５】
一対の電極間に、分子内にラクタム環とイミド環を有する化合物を少なくとも１種含有する層を電子注入輸送層として少なくとも一層挟持してなる有機電界発光素子。
【請求項６】
さらに正孔注入輸送層を有する請求項５記載の有機電界発光素子。
【発明の詳細な説明】
【０００１】
【発明の属する技術分野】
本発明は、有機電界発光素子に関する。
【０００２】
【従来の技術】
従来、無機電界発光素子は、例えば、バックライトなどのパネル型光源として使用されてきたが、該発光素子を駆動させるには、交流の高電圧が必要である。最近になり、発光材料に有機材料を用いた有機電界発光素子（有機エレクトロルミネッセンス素子：有機ＥＬ素子）が開発された〔Appl. Phy. Lett.,  51 、913 (1987)〕。有機電界発光素子は、蛍光性有機化合物を含む薄膜を、陽極と陰極間に挟持された構造を有し、該薄膜に電子および正孔（ホール）を注入して、再結合させることにより励起子（エキシトン）を生成させ、この励起子が失活する際に放出される光を利用して発光する素子である。有機電界発光素子は、数Ｖ〜数十Ｖ程度の直流の低電圧で、１００〜１００００ｃｄ／ｍ2 程度の高輝度の発光が可能であり、また蛍光性有機化合物の種類を選択することにより、種々の色（例えば、赤色、青色、緑色）の発光が可能である。このような特徴を有する有機電界発光素子は、種々の発光素子、表示素子等への応用が期待されている。しかしながら、一般に、有機電界発光素子は、発光寿命が短く、耐久性に乏しいなどの難点がある。
現在では、一層改良された有機電界発光素子が望まれている。
【０００３】
【発明が解決しようとする課題】
本発明の課題は、発光寿命の改良された有機電界発光素子を提供することである。
【０００４】
【課題を解決するための手段】
本発明者等は、有機電界発光素子に関して鋭意検討した結果、本発明を完成するに至った。すなわち、本発明は、一対の電極間に、分子内にラクタム環とイミド環を有する化合物を少なくとも１種含有する層を少なくとも一層挟持してなる有機電界発光素子に関するものである。
【０００５】
【発明の実施の形態】
以下、本発明に関して詳細に説明する。
本発明の有機電界発光素子は、一対の電極間に、分子内にラクタム環とイミド環を有する化合物を少なくとも１種含有する層を少なくとも一層挟持してなるものである。
本発明に係る分子内にラクタム環とイミド環を有する化合物（以下、化合物Ａと略記する）に関しては、特に限定するものではないが、好ましくは、分子内にラクタム環とイミド環を有する芳香族化合物であり、より好ましくは、ラクタム環とイミド環が縮環した芳香族化合物であり、特に好ましくは、一般式（１）（化２）で表される化合物である。
【０００６】
【化２】
0003669783.tif 000002
（式中、Ｒ1 およびＲ2 はそれぞれ水素原子、アルキル基、アルケニル基、アラルキル基またはアリール基を表し、Ａｒは４価の芳香族基を表す）
尚、本発明に係る化合物Ａ、例えば、一般式（１）で表される化合物においては、置換基Ｒ1 およびＲ2 の種類によっては、トランス体、シス体が存在するが、本発明の有機電界発光素子においては、トランス体、シス体の化合物が使用でき、さらには、トランス体とシス体の混合物が使用できる。
【０００７】
一般式（１）において、Ｒ1 およびＲ2 はそれぞれ水素原子、アルキル基、アルケニル基、アラルキル基またはアリール基を表し、好ましくは、水素原子、置換基を有していてもよい鎖状アルキル基、置換基を有していてもよい環状アルキル基、置換基を有していてもよい鎖状アルケニル基、置換基を有していてもよい環状アルケニル基、置換基を有していてもよいアラルキル基または置換基を有していてもよいアリール基を表し、より好ましくは、水素原子、置換基を有していてもよい総炭素数１〜３０のアルキル基、置換基を有していてもよい総炭素数２〜３０のアルケニル基、置換基を有していてもよい総炭素数５〜３０のアラルキル基または置換基を有していてもよい総炭素数４〜３０のアリール基であり、さらに好ましくは、水素原子、置換基を有していてもよい総炭素数１〜２０のアルキル基、置換基を有していてもよい総炭素数２〜２０のアルケニル基、置換基を有していてもよい総炭素数５〜２０のアラルキル基または置換基を有していてもよい総炭素数４〜２０のアリール基である。なお、本発明において、アラルキル基およびアリール基中のアリール基は複素芳香環も含む。
また、Ｒ1 とＲ2 の組合わせにおいて、少なくとも一方は、置換基を有していてもよい総炭素数１〜２０のアルキル基、置換基を有していてもよい総炭素数２〜２０のアルケニル基、置換基を有していてもよい総炭素数５〜２０のアラルキル基または置換基を有していてもよい総炭素数４〜２０のアリール基であることがより好ましく、Ｒ1 およびＲ2 がともに置換基を有していてもよい総炭素数１〜２０のアルキル基、置換基を有していてもよい総炭素数２〜２０のアルケニル基、置換基を有していてもよい総炭素数５〜２０のアラルキル基または置換基を有していてもよい総炭素数４〜２０のアリール基であることが特に好ましい。
【０００８】
Ｒ1 およびＲ2 で表されるアルキル基およびアルケニル基は置換基を有していてもよく、例えば、炭素数１〜２０のアルコキシ基、炭素数２〜２０のアルコキシアルキルオキシ基、炭素数２〜２０のアルケニルオキシ基、炭素数７〜２０のアラルキルオキシ基、炭素数８〜２０のアラルキルオキシアルコキシ基、炭素数６〜２０のアリールオキシ基、炭素数７〜２０のアリールオキシアルコキシ基、炭素数９〜２０のアラルキルアルケニル基、炭素数８〜２０のアリールアルケニル基、
炭素数１〜２０のアルキルチオ基、炭素数２〜２０のアルコキシアルキルチオ基、炭素数２〜２０のアルキルチオアルキルチオ基、炭素数２〜２０のアルケニルチオ基、炭素数７〜２０のアラルキルチオ基、炭素数８〜２０のアラルキルオキシアルキルチオ基、炭素数８〜２０のアラルキルチオアルキルチオ基、炭素数６〜２０のアリールチオ基、炭素数７〜２０のアリールオキシアルキルチオ基、炭素数７〜２０のアリールチオアルキルチオ基、
炭素数２〜２０のアルキルカルボニル基、炭素数３〜２０のアルケニルカルボニル基、炭素数８〜２０のアラルキルカルボニル基、炭素数７〜２０のアリールカルボニル基、
炭素数２〜２０のアルキルオキシカルボニル基、炭素数３〜２０のアルケニルオキシカルボニル基、炭素数８〜２０のアラルキルオキシカルボニル基、炭素数７〜２０のアリールオキシカルボニル基、
炭素数２〜２０のアルキルカルボニルオキシ基、炭素数３〜２０のアルケニルカルボニルオキシ基、炭素数８〜２０のアラルキルカルボニルオキシ基、炭素数７〜２０のアリールカルボニルオキシ基、
炭素数１〜２０のアルキルスルフォニル基、炭素数２〜２０のアルケニルスルフォニル基、炭素数７〜２０のアリールスルフォニル基、炭素数８〜２０のアラルキルスルフォニル基、
炭素数４〜２０のヘテロ原子含有の環状アルキル基、ハロゲン原子、水酸基、アミノ基、炭素数１〜２０のＮ−置換アミノ基、炭素数２〜４０のＮ，Ｎ−ジ置換アミノ基、ニトロ基、シアノ基などの置換基で単置換あるいは多置換されていてもよい。
さらに、これらの置換基に含まれるアリール基は、さらに炭素数１〜１０のアルキル基、炭素数１〜１０のアルコキシ基、炭素数１〜１０のアルキルチオ基、炭素数７〜１０のアラルキル基、炭素数７〜１０のアラルキルオキシ基、水酸基、ハロゲン原子などで置換されていてもよい。
【０００９】
また、Ｒ1 およびＲ2 で表されるアラルキル基およびアリール基中のアリール基は置換基を有していてもよく、例えば、炭素数１〜２０のアルキル基、炭素数２〜２０のアルケニル基、炭素数７〜２０のアラルキル基、炭素数６〜２０のアリール基、炭素数１〜２０のアルコキシ基、炭素数２〜２０のアルコキシアルキル基、炭素数２〜２０のアルコキシアルキルオキシ基、炭素数２〜２０のアルケニルオキシ基、炭素数３〜２０のアルケニルオキシアルキル基、炭素数３〜２０のアルケニルオキシアルキルオキシ基、炭素数７〜２０のアラルキルオキシ基、炭素数８〜２０のアラルキルオキシアルキル基、炭素数８〜２０のアラルキルオキシアルキルオキシ基、炭素数６〜２０のアリールオキシ基、炭素数７〜２０のアリールオキシアルキル基、炭素数７〜２０のアリールオキシアルキルオキシ基、
炭素数２〜２０のアルキルカルボニル基、炭素数３〜２０のアルケニルカルボニル基、炭素数８〜２０のアラルキルカルボニル基、炭素数７〜２０のアリールカルボニル基、炭素数２〜２０のアルキルオキシカルボニル基、炭素数３〜２０のアルケニルオキシカルボニル基、炭素数８〜２０のアラルキルオキシカルボニル基、炭素数７〜２０のアリールオキシカルボニル基、炭素数２〜２０のアルキルカルボニルオキシ基、炭素数３〜２０のアルケニルカルボニルオキシ基、炭素数８〜２０のアラルキルカルボニルオキシ基、炭素数７〜２０のアリールカルボニルオキシ基、炭素数１４〜２０のアラルキルオキシアラルキル基、炭素数１〜２０のアルキルチオ基、炭素数７〜２０のアラルキルチオ基、炭素数６〜２０のアリールチオ基、
炭素数４〜２０のヘテロ原子含有の環状アルキル基、ハロゲン原子、トリフルオロメチル基、水酸基、アミノ基、炭素数１〜２０のＮ−置換アミノ基、炭素数２〜４０のＮ，Ｎ−ジ置換アミノ基、ニトロ基、シアノ基、ホルミル基などの置換基で単置換あるいは多置換されていてもよい。
さらに、これらの置換基に含まれるアリール基は、炭素数１〜１０のアルキル基、炭素数１〜１０のアルコキシ基、炭素数１〜１０のアルキルチオ基、炭素数７〜１０のアラルキル基、炭素数７〜１０のアラルキルオキシ基、水酸基、ハロゲン原子などで置換されていてもよい。
【００１０】
Ｒ1 およびＲ2 の具体例としては、例えば、水素原子、メチル基、エチル基、ｎ−プロピル基、イソプロピル基、ｎ−ブチル基、イソブチル基、sec-ブチル基、tert−ブチル基、ｎ−ペンチル基、イソペンチル基、ネオペンチル基、tert−ペンチル基、ｎ−ヘキシル基、１−メチルペンチル基、４−メチル−２−ペンチル基、２−エチルブチル基、ｎ−ヘプチル基、１−メチルヘキシル基、ｎ−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、１−ヘプチルオクチル基、ｎ−ヘキサデシル基、ｎ−ヘプタデシル基、ｎ−オクタデシル基、１−ノニルデシル基、１−デシルウンデシル基、エイコシル基、シクロヘキシルメチル基、（１−イソプロピルシクロヘキシル）メチル基、２−シクロヘキシルエチル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、シクロペンチル基、１−メチルシクロペンチル基、シクロヘキシル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロデシル基、シクロドデシル基、シクロテトラデシル基、
ビニル基、アリル基、２−ブテニル基、３−ブテニル基、１−メチル−４−ペンテニル基、２−ペンテニル基、４−ペンテニル基、１−メチル−２−ブテニル基、２−ヘキセニル基、３−ヘキセニル基、４−ヘキセニル基、５−ヘキセニル基、２−ヘプテニル基、１−ビニルヘキシル基、３−ノネニル基、６−ノネニル基、９−デセニル基、１０−ウンデセニル基、１−シクロヘキセニル基、
【００１１】
メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−イソプロポキシエチル基、２−ｎ−ブトキシエチル基、２−ｎ−ペンチルオキシエチル基、２−ｎ−ヘキシルオキシエチル基、２−（２’−エチルブチルオキシ）エチル基、２−ｎ−ヘプチルオキシエチル基、２−ｎ−オクチルオキシエチル基、２−（２’−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、３−ｎ−プロポキシプロピル基、３−イソプロポキシプロピル基、３−（ｎ−ブトキシ）プロピル基、３−（ｎ−ペンチルオキシ）プロピル基、３−（ｎ−ヘキシルオキシ）プロピル基、３−（２’−エチルブトキシ）プロピル基、３−（ｎ−オクチルオキシ）プロピル基、３−（２’−エチルヘキシルオキシ）プロピル基、３−（ｎ−デシルオキシ）プロピル基、３−（ｎ−ドデシルオキシ）プロピル基、３−（ｎ−テトラデシルオキシ）プロピル基、３−シクロヘキシルオキシプロピル基、４−メトキシブチル基、４−エトキシブチル基、４−ｎ−プロポキシブチル基、４−イソプロポキシブチル基、４−ｎ−ブトキシブチル基、４−ｎ−ヘキシルオキシブチル基、４−ｎ−オクチルオキシブチル基、４−ｎ−デシルオキシブチル基、５−メトキシペンチル基、５−エトキシペンチル基、５−ｎ−プロポキシペンチル基、６−エトキシヘキシル基、６−ｎ−ブトキシヘキシル基、６−ｎ−ヘキシルオキシヘキシル基、７−エトキシヘプチル基、７−イソプロポキシヘプチル基、８−メトキシオクチル基、１０−メトキシデシル基、１０−ｎ−ブトキシデシル基、１２−イソプロポキシドデシル基、テトラヒドロフルフリル基、
２−（２’−メトキシエトキシ）エチル基、２−（２’−エトキシエトキシ）エチル基、２−（２’−ｎ−ブトキシエトキシ）エチル基、３−（２’−エトキシエトキシ）プロピル基、２−アリルオキシエチル基、２−（４’−ペンテニルオキシ）エチル基、３−アリルオキシプロピル基、３−（２’−ヘキセニルオキシ）プロピル基、３−（２’−ヘプテニルオキシ）プロピル基、３−（１’−シクロヘキセニルオキシ）プロピル基、４−アリルオキシブチル基、
【００１２】
ベンジルオキシメチル基、２−ベンジルオキシエチル基、２−フェネチルオキシエチル基、２−（４’−メチルベンジルオキシ）エチル基、２−（２’−メチルベンジルオキシ）エチル基、２−（４’−フルオロベンジルオキシ）エチル基、２−（４’−クロロベンジルオキシ）エチル基、３−ベンジルオキシプロピル基、３−（４’−メトキシベンジルオキシ）プロピル基、４−ベンジルオキシブチル基、２−（ベンジルオキシメトキシ）エチル基、２−（４’−メチルベンジルオキシメトキシ）エチル基、
フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、２−クロロフェニルオキシメチル基、２−フェニルオキシエチル基、２−（４’−メチルフェニルオキシ）エチル基、２−（４’−エチルフェニルオキシ）エチル基、２−（４’−メトキシフェニルオキシ）エチル基、２−（４’−クロロフェニルオキシ）エチル基、２−（４’−ブロモフェニルオキシ）エチル基、２−（１’−ナフチルオキシ）エチル基、２−（２’−ナフチルオキシ）エチル基、３−フェニルオキシプロピル基、３−（２’−ナフチルオキシ）プロピル基、４−フェニルオキシブチル基、４−（２’−エチルフェニルオキシ）ブチル基、５−（４’−tert−ブチルフェニルオキシ）ペンチル基、６−（２’−クロロフェニルオキシ）ヘキシル基、８−フェニルオキシオクチル基、１０−フェニルオキシデシル基、１０−（３’−クロロフェニルオキシ）デシル基、２−（２’−フェニルオキシエトキシ）エチル基、３−（２’−フェニルオキシエトキシ）プロピル基、４−（２’−フェニルオキシエトキシ）ブチル基、
シンナミルメチル基、２−シンナミルエチル基、
【００１３】
ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２’−メトキシエチルチオ）エチル基、４−（３’−エトキシプロピルチオ）ブチル基、２−（２’−エチルチオエチルチオ）エチル基、２−アリルチオエチル基、２−ベンジルチオエチル基、３−（４’−メチルベンジルチオ）プロピル基、４−ベンジルチオブチル基、２−（２’−ベンジルオキシエチルチオ）エチル基、３−（３’−ベンジルチオプロピルチオ）プロピル基、
２−フェニルチオエチル基、２−（４’−メトキシフェニルチオ）エチル基、２−（２’−フェニルオキシエチルチオ）エチル基、３−（２’−フェニルチオエチルチオ）プロピル基、
【００１４】
２−メチルカルボニルエチル基、２−ｎ−プロピルカルボニルエチル基、２−ｎ−ヘプチルカルボニルエチル基、３−ｎ−ブチルカルボニルプロピル基、３−（１’−エチルペンチル）カルボニルプロピル基、４−メチルカルボニルブチル基、６−エチルカルボニルヘキシル基、８−ｎ−プロピルカルボニルオクチル基、２−アリルカルボニルエチル基、３−ビニルカルボニルプロピル基、２−ベンジルカルボニルエチル基、３−（４’−メチルベンジル）カルボニルプロピル基、２−フェニルカルボニルエチル基、３−（４’−クロロフェニル）カルボニルプロピル基、３−（２’−ナフチル）カルボニルプロピル基、４−（３’−メチルフェニル）カルボニルブチル基、６−（４’−メトキシフェニル）カルボニルヘキシル基、８−フェニルカルボニルオクチル基、
４−（メチルオキシカルボニル）ブチル基、３−（アリルオキシカルボニル）プロピル基、３−（ベンジルオキシカルボニル）プロピル基、４−（フェニルオキシカルボニル）ブチル基、４−（４’−メチルフェニルオキシカルボニル）ブチル基、６−（４’−tert−ブチルフェニルオキシカルボニル）ヘキシル基、
２−（ｎ−ブチルカルボニルオキシ）エチル基、２−（ｎ−オクチルカルボニルオキシ）エチル基、３−（ｎ−ヘキシルカルボニルオキシ）プロピル基、４−（エチルカルボニルオキシ）ブチル基、３−アクリロイルオキシプロピル基、４−アクリロイルオキシブチル基、６−アクリロイルオキシヘキシル基、３−（ベンジルカルボニルオキシ）プロピル基、４−（フェニルカルボニルオキシ）ブチル基、４−（４’−メチルフェニルカルボニルオキシ）ブチル基、６−（４’−tert−ブチルフェニルカルボニルオキシ）ヘキシル基、８−（４’−メチルフェニルカルボニルオキシ）オクチル基、
【００１５】
３−（ｎ−ブチルスルフォニル）プロピル基、３−（アリルスルフォニル）プロピル基、２−（ベンジルスルフォニル）エチル基、３−（フェニルスルフォニル）プロピル基、３−（４’−メチルフェニルスルフォニル）プロピル基、４−（４’−クロロフェニルスルフォニル）ブチル基、
４−ピロリジノ−Ｎ−ブチル基、６−ピペリジノ−Ｎ−ヘキシル基、８−（Ｎ−エチルピペラジノ）−Ｎ−オクチル基、４−モルフォリノ−Ｎ−ブチル基、
３−フルオロプロピル基、６−フルオロヘキシル基、８−フルオロオクチル基、トリフルオロメチル基、１，１−ジヒドロ−パーフルオロ−ｎ−プロピル基、１，１−ジヒドロ−パーフルオロ−ｎ−ブチル基、１，１−ジヒドロ−パーフルオロ−ｎ−ヘキシル基、１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、パーフルオロ−ｎ−ヘキシル基、ジクロロメチル基、２−クロロエチル基、３−クロロプロピル基、７−クロロヘプチル基、８−クロロオクチル基、２，２，２−トリクロロエチル基、
２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、１０−ヒドロキシデシル基、１２−ヒドロキシドデシル基、２−ヒドロキシシクロヘキシル基、２−アミノエチル基、３−アミノプロピル基、４−アミノブチル基、６−アミノヘキシル基、８−アミノオクチル基、１０−アミノデシル基、１４−アミノテトラデシル基、Ｎ−メチルアミノメチル基、Ｎ−ｎ−ブチルアミノメチル基、Ｎ−ｎ−ヘキシルアミノメチル基、２−（Ｎ−メチルアミノ）エチル基、２−（Ｎ−エチルアミノ）エチル基、２−（Ｎ−ｎ−ブチルアミノ）エチル基、２−（Ｎ−sec −ブチルアミノ）エチル基、２−（Ｎ−シクロヘキシルアミノ）エチル基、３−（Ｎ−メチルアミノ）プロピル基、３−（Ｎ−エチルアミノ）プロピル基、３−（Ｎ−ｎ−ブチルアミノ）プロピル基、４−（Ｎ−エチルアミノ）ブチル基、６−（Ｎ−イソプロピルアミノ）ヘキシル基、８−（Ｎ−エチルアミノ）オクチル基、３−（Ｎ−ベンジルアミノ）プロピル基、２−（Ｎ−フェニルアミノ）エチル基、３−（Ｎ−４’−メチルフェニルアミノ）プロピル基、４−（Ｎ−４’−メトキシフェニルアミノ）ブチル基、
Ｎ，Ｎ−ジメチルアミノメチル基、Ｎ，Ｎ−ジエチルアミノメチル基、２−（Ｎ，Ｎ−ジメチルアミノ）エチル基、３−（Ｎ，Ｎ−ジメチルアミノ）プロピル基、３−（Ｎ，Ｎ−ジエチルアミノ）プロピル基、３−（Ｎ，Ｎ−ジ−ｎ−プロピルアミノ）プロピル基、３−（Ｎ，Ｎ−ジイソプロピルアミノ）プロピル基、３−（Ｎ，Ｎ−ジ−ｎ−ブチルアミノ）プロピル基、３−（Ｎ−メチル−Ｎ−ｎ−ブチルアミノ）プロピル基、４−（Ｎ，Ｎ−ジメチルアミノ）ブチル基、４−（Ｎ，Ｎ−ジエチルアミノ）ブチル基、４−（Ｎ，Ｎ−ジ−ｎ−ブチルアミノ）ブチル基、５−（Ｎ，Ｎ−ジメチルアミノ）ペンチル基、６−（Ｎ，Ｎ−ジエチルアミノ）ヘキシル基、８−（Ｎ，Ｎ−ジメチルアミノ）オクチル基、１０−（Ｎ，Ｎ−ジエチルアミノ）デシル基、１４−（Ｎ，Ｎ−ジエチルアミノ）テトラデシル基、３−（Ｎ，Ｎ−ジベンジルアミノ）プロピル基、２−（Ｎ−メチル−Ｎ−フェニルアミノ）エチル基、２−（Ｎ，Ｎ−ジフェニルアミノ）エチル基、３−（Ｎ，Ｎ−ジフェニルアミノ）プロピル基、３−（Ｎ−エチル−Ｎ−４’−メチルフェニルアミノ）プロピル基、
４−ニトロブチル基、６−ニトロヘキシル基、３−シアノプロピル基、５−シアノペンチル基、８−シアノオクチル基、１０−シアノデシル基、
【００１６】
ベンジル基、α−メチルベンジル基、α−エチルベンジル基、フェネチル基、α−メチルフェネチル基、β−メチルフェネチル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−tert−ブチルベンジル基、２−tert−ブチルベンジル基、４−tert−ペンチルベンジル基、４−シクロヘキシルベンジル基、４−ｎ−オクチルベンジル基、４−tert−オクチルベンジル基、４−アリルベンジル基、４−ベンジルベンジル基、４−フェネチルベンジル基、４−フェニルベンジル基、４−（４’−メチルフェニル）ベンジル基、４−メトキシベンジル基、２−メトキシベンジル基、２−エトキシベンジル基、４−ｎ−ブトキシベンジル基、４−ｎ−ヘプチルオキシベンジル基、３，４−ジメトキシベンジル基、４−メトキシメチルベンジル基、４−イソブトキシメチルベンジル基、４−アリルオキシベンジル基、４−ビニルオキシメチルベンジル基、４−ベンジルオキシベンジル基、４−フェネチルオキシベンジル基、４−フェニルオキシベンジル基、３−フェニルオキシベンジル基、
４−ヒドロキシベンジル基、３−ヒドロキシベンジル基、２−ヒドロキシベンジル基、４−ヒドロキシ−３−メトキシベンジル基、４−フルオロベンジル基、２−フルオロベンジル基、４−クロロベンジル基、３−クロロベンジル基、２−クロロベンジル基、３，４−ジクロロベンジル基、２−フルフリル基、ジフェニルメチル基、１−ナフチルメチル基、２−ナフチルメチル基、
【００１７】
フェニル基、１−ナフチル基、２−ナフチル基、２−アントリル基、９−アントリル基、４−キノリル基、４−ピリジル基、３−ピリジル基、２−ピリジル基、３−フリル基、３−チエニル基、２−チエニル基、２−オキサゾリル基、２−チアゾリル基、２−ベンゾオキサゾリル基、２−ベンゾチアゾリル基、２−ベンゾイミダゾリル基、４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−sec −ブチルフェニル基、２−sec −ブチルフェニル基、４−tert−ブチルフェニル基、３−tert−ブチルフェニル基、２−tert−ブチルフェニル基、４−ｎ−ペンチルフェニル基、４−イソペンチルフェニル基、２−イソペンチルフェニル基、２−ネオペンチルフェニル基、４−tert−ペンチルフェニル基、２−tert−ペンチルフェニル基、４−ｎ−ヘキシルフェニル基、４−ｎ−ヘプチルフェニル基、４−ｎ−オクチルフェニル基、４−（２’−エチルヘキシル）フェニル基、４−tert−オクチルフェニル基、４−ｎ−デシルフェニル基、４−ｎ−ドデシルフェニル基、４−ｎ−テトラデシルフェニル基、４−シクロペンチルフェニル基、４−シクロヘキシルフェニル基、４−（tert−ブチルシクロヘキシル）フェニル基、３−シクロヘキシルフェニル基、２−シクロヘキシルフェニル基、２−（２’−メチルシクロヘキシル）フェニル基、４−エチル−１−ナフチル基、６−ｎ−ブチル−２−ナフチル基、２，４−ジメチルフェニル基、２，５−ジメチルフェニル基、３，４−ジメチルフェニル基、３，５−ジメチルフェニル基、２，６−ジメチルフェニル基、２，４−ジエチルフェニル基、２，３，５−トリメチルフェニル基、２，３，６−トリメチルフェニル基、２，４，６−トリメチルフェニル基、２，６−ジエチルフェニル基、２，６−ジイソプロピルフェニル基、２，６−ジイソブチルフェニル基、２，４−ジ−tert−ブチルフェニル基、２，５−ジ−tert−ブチルフェニル基、３，５−ジ−tert−ブチルフェニル基、２，４−ジネオペンチルフェニル基、２，５−ジ−tert−ペンチルフェニル基、４，６−ジ−tert−ブチル−２−メチルフェニル基、５−tert−ブチル−２−メチルフェニル基、４−tert−ブチル−２，６−ジメチルフェニル基、
４−アリルフェニル基、２−アリルフェニル基、２−イソプロペニルフェニル基、４−ベンジルフェニル基、２−ベンジルフェニル基、４−（４’−メチルベンジル）フェニル基、４−クミルフェニル基、４−（４’−メトキシクミル）フェニル基、
４−フェニルフェニル基、３−フェニルフェニル基、２−フェニルフェニル基、４−（４’−メトキシフェニル）フェニル基、４−（４’−ｎ−ブトキシフェニル）フェニル基、２−（２’−メトキシフェニル）フェニル基、４−（４’−クロロフェニル）フェニル基、２−メトキシ−５−フェニルフェニル基、
【００１８】
４−メトキシフェニル基、３−メトキシフェニル基、２−メトキシフェニル基、４−エトキシフェニル基、２−エトキシフェニル基、３−ｎ−プロポキシフェニル基、４−イソプロポキシフェニル基、２−イソプロポキシフェニル基、４−ｎ−ブトキシフェニル基、４−イソブトキシフェニル基、２−イソブトキシフェニル基、２−sec −ブトキシフェニル基、４−ｎ−ペンチルオキシフェニル基、４−イソペンチルオキシフェニル基、２−イソペンチルオキシフェニル基、２−ネオペンチルオキシフェニル基、４−ｎ−ヘキシルオキシフェニル基、２−（２’−エチルブチル）オキシフェニル基、４−ｎ−オクチルオキシフェニル基、４−ｎ−デシルオキシフェニル基、４−ｎ−ドデシルオキシフェニル基、４−シクロヘキシルオキシフェニル基、２−シクロヘキシルオキシフェニル基、２−メトキシ−１−ナフチル基、４−メトキシ−１−ナフチル基、４−ｎ−ブトキシ−１−ナフチル基、５−エトキシ−１−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、４−メトキシ−２−メチルフェニル基、２−メトキシ−４−メチルフェニル基、２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブトキシフェニル基、２−メトキシ−４−エトキシフェニル基、２−メトキシ−６−エトキシフェニル基、３，４，５−トリメトキシフェニル基、
４−メトキシメチルフェニル基、４−エトキシメチルフェニル基、４−ｎ−ブトキシメチルフェニル基、３−メトキシメチルフェニル基、４−（２’−メトキシエチル）フェニル基、４−（２’−エトキシエチルオキシ）フェニル基、４−（２’−ｎ−ブトキシエチルオキシ）フェニル基、４−（３’−エトキシプロピルオキシ）フェニル基、４−ビニルオキシフェニル基、４−アリルオキシフェニル基、３−アリルオキシフェニル基、４−（４’−ペンテニルオキシ）フェニル基、４−アリルオキシ−１−ナフチル基、
４−アリルオキシメチルフェニル基、４−（２’−アリルオキシエチルオキシ）フェニル基、
【００１９】
４−ベンジルオキシフェニル基、２−ベンジルオキシフェニル基、４−フェネチルオキシフェニル基、４−（４’−クロロベンジルオキシ）フェニル基、４−（４’−メチルベンジルオキシ）フェニル基、４−（４’−メトキシベンジルオキシ）フェニル基、４−（３’−エトキシベンジルオキシ）フェニル基、４−ベンジルオキシ−１−ナフチル基、５−（４’−メチルベンジルオキシ）−１−ナフチル基、６−ベンジルオキシ−２−ナフチル基、６−（４’−メチルベンジルオキシ）−２−ナフチル基、７−ベンジルオキシ−２−ナフチル基、４−（ベンジルオキシメチル）フェニル基、４−（２’−ベンジルオキシエチルオキシ）フェニル基、
４−フェニルオキシフェニル基、３−フェニルオキシフェニル基、２−フェニルオキシフェニル基、４−（４’−メチルフェニルオキシ）フェニル基、４−（４’−メトキシフェニルオキシ）フェニル基、４−（４’−クロロフェニルオキシ）フェニル基、４−フェニルオキシ−１−ナフチル基、６−フェニルオキシ−２−ナフチル基、７−フェニルオキシ−２−ナフチル基、４−フェニルオキシメチルフェニル基、４−（２’−フェニルオキシエチルオキシ）フェニル基、４−〔２’−（４’−メチルフェニルオキシ）エチルオキシ〕フェニル基、４−〔２’−（４’−メトキシフェニルオキシ）エチルオキシ〕フェニル基、４−〔２’−（４’−クロロフェニルオキシ）エチルオキシ〕フェニル基、
４−アセチルフェニル基、３−アセチルフェニル基、２−アセチルフェニル基、４−エチルカルボニルフェニル基、２−エチルカルボニルフェニル基、４−ｎ−ブチルカルボニルフェニル基、４−ｎ−ヘキシルカルボニルフェニル基、４−ｎ−オクチルカルボニルフェニル基、４−シクロヘキシルカルボニルフェニル基、４−アセチル−１−ナフチル基、６−アセチル−２−ナフチル基、６−ｎ−ブチルカルボニル−２−ナフチル基、４−アリルカルボニルフェニル基、４−ベンジルカルボニルフェニル基、４−（４’−メチルベンジル）カルボニルフェニル基、４−フェニルカルボニルフェニル基、４−（４’−メチルフェニル）カルボニルフェニル基、４−（４’−クロロフェニル）カルボニルフェニル基、４−フェニルカルボニル−１−ナフチル基、
【００２０】
４−メトキシカルボニルフェニル基、２−メトキシカルボニルフェニル基、４−エトキシカルボニルフェニル基、３−エトキシカルボニルフェニル基、４−ｎ−プロポキシカルボニルフェニル基、４−ｎ−ブトキシカルボニルフェニル基、４−ｎ−ヘキシルオキシカルボニルフェニル基、４−ｎ−デシルオキシカルボニルフェニル基、４−シクロヘキシルオキシカルボニルフェニル基、４−エトキシカルボニル−１−ナフチル基、６−メトキシカルボニル−２−ナフチル基、６−ｎ−ブトキシカルボニル−２−ナフチル基、４−アリルオキシカルボニルフェニル基、４−ベンジルオキシカルボニルフェニル基、４−（４’−クロロベンジル）オキシカルボニルフェニル基、４−フェネチルオキシカルボニルフェニル基、６−ベンジルオキシカルボニル−２−ナフチル基、４−フェニルオキシカルボニルフェニル基、４−（４’−エチルフェニル）オキシカルボニルフェニル基、４−（４’−クロロフェニル）オキシカルボニルフェニル基、４−（４’−エトキシフェニル）オキシカルボニルフェニル基、６−フェニルオキシカルボニル−２−ナフチル基、
【００２１】
４−アセチルオキシフェニル基、３−アセチルオキシフェニル基、２−アセチルオキシフェニル基、４−エチルカルボニルオキシフェニル基、２−エチルカルボニルオキシフェニル基、４−ｎ−プロピルカルボニルオキシフェニル基、４−ｎ−ペンチルカルボニルオキシフェニル基、４−ｎ−オクチルカルボニルオキシフェニル基、４−シクロヘキシルカルボニルオキシフェニル基、３−シクロヘキシルカルボニルオキシフェニル基、４−アセチルオキシ−１−ナフチル基、４−ｎ−ブチルカルボニルオキシ−１−ナフチル基、５−アセチルオキシ−１−ナフチル基、６−エチルカルボニルオキシ−２−ナフチル基、７−アセチルオキシ−２−ナフチル基、４−アリルカルボニルオキシフェニル基、４−ベンジルカルボニルオキシフェニル基、４−フェネチルカルボニルオキシフェニル基、６−ベンジルカルボニルオキシ−２−ナフチル基、
４−フェニルカルボニルオキシフェニル基、４−（４’−メチルフェニル）カルボニルオキシフェニル基、４−（２’−メチルフェニル）カルボニルオキシフェニル基、４−（４’−クロロフェニル）カルボニルオキシフェニル基、４−（２’−クロロフェニル）カルボニルオキシフェニル基、４−フェニルカルボニルオキシ−１−ナフチル基、６−フェニルカルボニルオキシ−２−ナフチル基、７−フェニルカルボニルオキシ−２−ナフチル基、
４−メチルチオフェニル基、２−メチルチオフェニル基、２−エチルチオフェニル基、３−エチルチオフェニル基、４−ｎ−プロピルチオフェニル基、２−イソプロピルチオフェニル基、４−ｎ−ブチルチオフェニル基、２−イソブチルチオフェニル基、２−ネオペンチルフェニル基、４−ｎ−ヘキシルチオフェニル基、４−ｎ−オクチルチオフェニル基、４−シクロヘキシルチオフェニル基、
４−ベンジルチオフェニル基、３−ベンジルチオフェニル基、２−ベンジルチオフェニル基、４−（４’−クロロベンジルチオ）フェニル基、４−フェニルチオフェニル基、３−フェニルチオフェニル基、２−フェニルチオフェニル基、４−（４’−メチルフェニルチオ）フェニル基、４−（４’−メトキシフェニルチオ）フェニル基、４−（４’−クロロフェニルチオ）フェニル基、２−エチルチオ−１−ナフチル基、４−メチルチオ−１−ナフチル基、６−エチルチオ−２−ナフチル基、６−フェニルチオ−２−ナフチル基、
【００２２】
４−ニトロフェニル基、３−ニトロフェニル基、２−ニトロフェニル基、３，５−ジニトロフェニル基、４−ニトロ−１−ナフチル基、４−ホルミルフェニル基、３−ホルミルフェニル基、２−ホルミルフェニル基、４−ホルミル−１−ナフチル基、１−ホルミル−２−ナフチル基、
４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−クロロ−１−ナフチル基、４−クロロ−２−ナフチル基、６−ブロモ−２−ナフチル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，５−ジブロモフェニル基、２，４，６−トリクロロフェニル基、２，３，６−トリブロモフェニル基、２，４−ジクロロ−１−ナフチル基、１，６−ジクロロ−２−ナフチル基、
２−フルオロ−４−メチルフェニル基、２−フルオロ−５−メチルフェニル基、３−フルオロ−２−メチルフェニル基、３−フルオロ−４−メチルフェニル基、４−フルオロ−２−メチルフェニル基、５−フルオロ−２−メチルフェニル基、２−クロロ−４−メチルフェニル基、２−クロロ−５−メチルフェニル基、２−クロロ−６−メチルフェニル基、３−クロロ−２−メチルフェニル基、４−クロロ−２−メチルフェニル基、４−クロロ−３−メチルフェニル基、２−クロロ−４，６−ジメチルフェニル基、２−フルオロ−４−メトキシフェニル基、２−フルオロ−６−メトキシフェニル基、３−フルオロ−４−エトキシフェニル基、５−クロロ−２−メトキシフェニル基、６−クロロ−３−メトキシフェニル基、５−クロロ−２，４−ジメトキシフェニル基、２−クロロ−４−ニトロフェニル基、４−クロロ−２−ニトロフェニル基、
【００２３】
４−トリフルオロメチルフェニル基、３−トリフルオロメチルフェニル基、２−トリフルオロメチルフェニル基、３，５−ビス（トリフルオロメチル）フェニル基、
４−ピロリジノフェニル基、４−ピペリジノフェニル基、４−モルフォリノフェニル基、４−（Ｎ−エチルピペラジノ）フェニル基、４−ピロリジノ−１−ナフチル基、
４−アミノフェニル基、３−アミノフェニル基、２−アミノフェニル基、
４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−Ｎ−ベンジルアミノフェニル基、４−Ｎ−フェニルアミノフェニル基、２−Ｎ−フェニルアミノフェニル基、
４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、２−（Ｎ，Ｎ−ジメチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−１−ナフチル基、４−（Ｎ−ベンジル−Ｎ−フェニルアミノ）フェニル基、４−（Ｎ，Ｎ−ジフェニルアミノ）フェニル基、４−〔Ｎ，Ｎ−ジ（３’−メチルフェニル）アミノ〕フェニル基、２−（Ｎ，Ｎ−ジフェニルアミノ）フェニル基、
４−ヒドロキシフェニル基、３−ヒドロキシフェニル基、２−ヒドロキシフェニル基、４−メチル−３−ヒドロキシフェニル基、６−メチル−３−ヒドロキシフェニル基、２−ヒドロキシ−１−ナフチル基、８−ヒドロキシ−１−ナフチル基、４−ヒドロキシ−１−ナフチル基、１−ヒドロキシ−２−ナフチル基、６−ヒドロキシ−２−ナフチル基、４−シアノフェニル基、２−シアノフェニル基、４−シアノ−１−ナフチル基、６−シアノ−２−ナフチル基などを挙げることができるが、これらに限定されるものではない。
【００２４】
一般式（１）において、Ａｒは４価の芳香族基を表し、例えば、４価のペリレン基、４価のナフタレン基または４価のビフェニル基を表し、好ましくは、例えば、一般式（ａ）〜（ｄ）（化３）で表される基を挙げることができる。
【００２５】
【化３】
0003669783.tif 000003
（式中、Ｘ11〜Ｘ18、Ｘ21〜Ｘ24、Ｘ31〜Ｘ34およびＸ41〜Ｘ46はそれぞれ水素原子、ハロゲン原子、アルキル基、アルコキシ基またはアリールオキシ基を表す）
【００２６】
一般式（ａ）〜（ｄ）において、Ｘ11〜Ｘ18、Ｘ21〜Ｘ24、Ｘ31〜Ｘ34およびＸ41〜Ｘ46はそれぞれ水素原子、ハロゲン原子、アルキル基、アルコキシ基またはアリールオキシ基を表し、好ましくは、水素原子、ハロゲン原子（例えば、フッ素原子、塩素原子、臭素原子）、炭素数１〜８の直鎖、分岐または環状のアルキル基（例えば、メチル基、エチル基、ｎ−プロピル基、イソプロピル基、ｎ−ブチル基、イソブチル基、tert−ブチル基、ｎ−ペンチル基、イソペンチル基、ネオペンチル基、tert−ペンチル基、ｎ−ヘキシル基、シクロヘキシル基、ｎ−ヘプチル基、シクロヘキシルメチル基、ｎ−オクチル基、tert−オクチル基、２−エチルヘキシル基など）、炭素数１〜８の直鎖、分岐または環状のアルコキシ基（例えば、メトキシ基、エトキシ基、ｎ−プロポキシ基、イソプロポキシ基、ｎ−ブトキシ基、イソブトキシ基、sec −ブトキシ基、ｎ−ペンチルオキシ基、ネオペンチルオキシ基、ｎ−ヘキシルオキシ基、シクロヘキシルオキシ基、ｎ−ヘプチルオキシ基、ｎ−オクチルオキシ基、２−エチルヘキシルオキシ基など）、または炭素数６〜１０の置換または未置換のアリールオキシ基（例えば、フェニルオキシ基、２−メチルフェニルオキシ基、３−メチルフェニルオキシ基、４−メチルフェニルオキシ基、４−エチルフェニルオキシ基、４−ｎ−プロピルフェニルオキシ基、４−tert−ブチルフェニルオキシ基、２−メトキシフェニルオキシ基、４−メトキシフェニルオキシ基、３−エトキシフェニルオキシ基、３−フルオロフェニルオキシ基、４−フルオロフェニルオキシ基、１−ナフチルオキシ基、２−ナフチルオキシ基など）であり、より好ましくは、水素原子、ハロゲン原子、炭素数１〜６のアルキル基、炭素数１〜６のアルコキシ基または炭素数６〜１０のアリールオキシ基であり、さらに好ましくは、水素原子、フッ素原子、塩素原子、炭素数１〜４のアルキル基、炭素数１〜４のアルコキシ基または炭素数６〜１０のアリールオキシ基であり、特に好ましくは、水素原子である。
【００２７】
本発明に係る化合物Ａとしては、特に好ましくは、一般式（１−ａ）または一般式（１−ｂ）（化４）で表される化合物である。
【００２８】
【化４】
0003669783.tif 000004
〔式中、Ｒ11およびＲ12は一般式（１）のＲ1 と同じ意味を表し、Ｒ21およびＲ22は一般式（１）のＲ2 と同じ意味を表し、Ｘ11〜Ｘ18およびＸ21〜Ｘ24は前記と同じ意味を表す〕
【００２９】
本発明に係る化合物Ａの代表的な具体例として、例えば、一般式（１−ａ）および一般式（１−ｂ）で表される化合物の代表的な具体例を、それぞれ、第１表（表１〜表６８）および第２表（表６９〜表１３３）に示すが、本発明はこれらに限定されるものではない。
尚、本発明に係る化合物Ａ、例えば、前記一般式（１）で表される化合物は、例えば、メタノールおよびジメチルスルフォキサイドの存在下、一般式（２）（化５）で表される分子内にイミド環を２個有する化合物と水酸化カリウムを作用させた後、塩酸を作用させて製造することができる。
【００３０】
【化５】
0003669783.tif 000005
〔式中、Ｒ1 、Ｒ2 およびＡｒは一般式（１）に同じ意味を表す〕
【００３１】
【表１】
0003669783.tif 000006
【００３２】
【表２】
0003669783.tif 000007
【００３３】
【表３】
0003669783.tif 000008
【００３４】
【表４】
0003669783.tif 000009
【００３５】
【表５】
0003669783.tif 000010
【００３６】
【表６】
0003669783.tif 000011
【００３７】
【表７】
0003669783.tif 000012
【００３８】
【表８】
0003669783.tif 000013
【００３９】
【表９】
0003669783.tif 000014
【００４０】
【表１０】
0003669783.tif 000015
【００４１】
【表１１】
0003669783.tif 000016
【００４２】
【表１２】
0003669783.tif 000017
【００４３】
【表１３】
0003669783.tif 000018
【００４４】
【表１４】
0003669783.tif 000019
【００４５】
【表１５】
0003669783.tif 000020
【００４６】
【表１６】
0003669783.tif 000021
【００４７】
【表１７】
0003669783.tif 000022
【００４８】
【表１８】
0003669783.tif 000023
【００４９】
【表１９】
0003669783.tif 000024
【００５０】
【表２０】
0003669783.tif 000025
【００５１】
【表２１】
0003669783.tif 000026
【００５２】
【表２２】
0003669783.tif 000027
【００５３】
【表２３】
0003669783.tif 000028
【００５４】
【表２４】
0003669783.tif 000029
【００５５】
【表２５】
0003669783.tif 000030
【００５６】
【表２６】
0003669783.tif 000031
【００５７】
【表２７】
0003669783.tif 000032
【００５８】
【表２８】
0003669783.tif 000033
【００５９】
【表２９】
0003669783.tif 000034
【００６０】
【表３０】
0003669783.tif 000035
【００６１】
【表３１】
0003669783.tif 000036
【００６２】
【表３２】
0003669783.tif 000037
【００６３】
【表３３】
0003669783.tif 000038
【００６４】
【表３４】
0003669783.tif 000039
【００６５】
【表３５】
0003669783.tif 000040
【００６６】
【表３６】
0003669783.tif 000041
【００６７】
【表３７】
0003669783.tif 000042
【００６８】
【表３８】
0003669783.tif 000043
【００６９】
【表３９】
0003669783.tif 000044
【００７０】
【表４０】
0003669783.tif 000045
【００７１】
【表４１】
0003669783.tif 000046
【００７２】
【表４２】
0003669783.tif 000047
【００７３】
【表４３】
0003669783.tif 000048
【００７４】
【表４４】
0003669783.tif 000049
【００７５】
【表４５】
0003669783.tif 000050
【００７６】
【表４６】
0003669783.tif 000051
【００７７】
【表４７】
0003669783.tif 000052
【００７８】
【表４８】
0003669783.tif 000053
【００７９】
【表４９】
0003669783.tif 000054
【００８０】
【表５０】
0003669783.tif 000055
【００８１】
【表５１】
0003669783.tif 000056
【００８２】
【表５２】
0003669783.tif 000057
【００８３】
【表５３】
0003669783.tif 000058
【００８４】
【表５４】
0003669783.tif 000059
【００８５】
【表５５】
0003669783.tif 000060
【００８６】
【表５６】
0003669783.tif 000061
【００８７】
【表５７】
0003669783.tif 000062
【００８８】
【表５８】
0003669783.tif 000063
【００８９】
【表５９】
0003669783.tif 000064
【００９０】
【表６０】
0003669783.tif 000065
【００９１】
【表６１】
0003669783.tif 000066
【００９２】
【表６２】
0003669783.tif 000067
【００９３】
【表６３】
0003669783.tif 000068
【００９４】
【表６４】
0003669783.tif 000069
【００９５】
【表６５】
0003669783.tif 000070
【００９６】
【表６６】
0003669783.tif 000071
【００９７】
【表６７】
0003669783.tif 000072
【００９８】
【表６８】
0003669783.tif 000073
【００９９】
【表６９】
0003669783.tif 000074
【０１００】
【表７０】
0003669783.tif 000075
【０１０１】
【表７１】
0003669783.tif 000076
【０１０２】
【表７２】
0003669783.tif 000077
【０１０３】
【表７３】
0003669783.tif 000078
【０１０４】
【表７４】
0003669783.tif 000079
【０１０５】
【表７５】
0003669783.tif 000080
【０１０６】
【表７６】
0003669783.tif 000081
【０１０７】
【表７７】
0003669783.tif 000082
【０１０８】
【表７８】
0003669783.tif 000083
【０１０９】
【表７９】
0003669783.tif 000084
【０１１０】
【表８０】
0003669783.tif 000085
【０１１１】
【表８１】
0003669783.tif 000086
【０１１２】
【表８２】
0003669783.tif 000087
【０１１３】
【表８３】
0003669783.tif 000088
【０１１４】
【表８４】
0003669783.tif 000089
【０１１５】
【表８５】
0003669783.tif 000090
【０１１６】
【表８６】
0003669783.tif 000091
【０１１７】
【表８７】
0003669783.tif 000092
【０１１８】
【表８８】
0003669783.tif 000093
【０１１９】
【表８９】
0003669783.tif 000094
【０１２０】
【表９０】
0003669783.tif 000095
【０１２１】
【表９１】
0003669783.tif 000096
【０１２２】
【表９２】
0003669783.tif 000097
【０１２３】
【表９３】
0003669783.tif 000098
【０１２４】
【表９４】
0003669783.tif 000099
【０１２５】
【表９５】
0003669783.tif 000100
【０１２６】
【表９６】
0003669783.tif 000101
【０１２７】
【表９７】
0003669783.tif 000102
【０１２８】
【表９８】
0003669783.tif 000103
【０１２９】
【表９９】
0003669783.tif 000104
【０１３０】
【表１００】
0003669783.tif 000105
【０１３１】
【表１０１】
0003669783.tif 000106
【０１３２】
【表１０２】
0003669783.tif 000107
【０１３３】
【表１０３】
0003669783.tif 000108
【０１３４】
【表１０４】
0003669783.tif 000109
【０１３５】
【表１０５】
0003669783.tif 000110
【０１３６】
【表１０６】
0003669783.tif 000111
【０１３７】
【表１０７】
0003669783.tif 000112
【０１３８】
【表１０８】
0003669783.tif 000113
【０１３９】
【表１０９】
0003669783.tif 000114
【０１４０】
【表１１０】
0003669783.tif 000115
【０１４１】
【表１１１】
0003669783.tif 000116
【０１４２】
【表１１２】
0003669783.tif 000117
【０１４３】
【表１１３】
0003669783.tif 000118
【０１４４】
【表１１４】
0003669783.tif 000119
【０１４５】
【表１１５】
0003669783.tif 000120
【０１４６】
【表１１６】
0003669783.tif 000121
【０１４７】
【表１１７】
0003669783.tif 000122
【０１４８】
【表１１８】
0003669783.tif 000123
【０１４９】
【表１１９】
0003669783.tif 000124
【０１５０】
【表１２０】
0003669783.tif 000125
【０１５１】
【表１２１】
0003669783.tif 000126
【０１５２】
【表１２２】
0003669783.tif 000127
【０１５３】
【表１２３】
0003669783.tif 000128
【０１５４】
【表１２４】
0003669783.tif 000129
【０１５５】
【表１２５】
0003669783.tif 000130
【０１５６】
【表１２６】
0003669783.tif 000131
【０１５７】
【表１２７】
0003669783.tif 000132
【０１５８】
【表１２８】
0003669783.tif 000133
【０１５９】
【表１２９】
0003669783.tif 000134
【０１６０】
【表１３０】
0003669783.tif 000135
【０１６１】
【表１３１】
0003669783.tif 000136
【０１６２】
【表１３２】
0003669783.tif 000137
【０１６３】
【表１３３】
0003669783.tif 000138
【０１６４】
有機電界発光素子は、通常、一対の電極間に、発光層、正孔注入輸送層、電子注入輸送層を有するものであり、これらの層は、それぞれ発光成分、正孔注入輸送成分、電子注入輸送成分を含有している。
尚、正孔注入輸送層、電子注入輸送層は、発光層に使用する化合物の正孔注入、正孔輸送、電子注入、電子輸送の各機能レベルを考慮し、所望に応じて省くこともできる。例えば、発光層に使用する化合物の正孔注入機能、正孔輸送機能または電子注入機能、電子輸送機能が良好な場合には、発光層が正孔注入輸送層または電子注入輸送層を兼ねた型の素子の構成とすることができる。勿論、場合によっては、正孔注入輸送層および電子注入輸送層の両方の層を設けない型の素子の構成とすることもできる。また、正孔注入輸送層および電子注入輸送層は、それぞれの層において、注入機能を有する層と輸送機能を有する層を別々に設けて構成することもできる。
【０１６５】
本発明の有機電界発光素子において、化合物Ａは、発光成分または／および電子注入輸送成分として用いることが好ましい。
本発明の有機電界発光素子においては、化合物Ａは、単独で使用してもよく、あるいは複数併用してもよい。
【０１６６】
本発明の有機電界発光素子の構成としては、特に限定するものではなく、例えば、（Ａ）陽極／正孔注入輸送層／発光層／電子注入輸送層／陰極型素子（図１）、（Ｂ）陽極／正孔注入輸送層／発光層／陰極型素子（図２）、（Ｃ）陽極／発光層／電子注入輸送層／陰極型素子（図３）、（Ｄ）陽極／発光層／陰極型素子（図４）などを挙げることができる。また、（Ｅ）正孔注入輸送成分、発光成分および電子注入輸送成分を混合させた一層形態で一対の電極間に挟持させた型の素子とすることもできる。より好ましい有機電界発光素子の構成は、（Ａ）型素子、（Ｂ）型素子または（Ｃ）型素子である。
【０１６７】
本発明の有機電界発光素子として、例えば、（図１）に示す（Ａ）陽極／正孔注入輸送層／発光層／電子注入輸送層／陰極型素子について説明する。
（図１）において、１は基板、２は陽極、３は正孔注入輸送層、４は発光層、５は電子注入輸送層、６は陰極、７は電源を示す。
本発明の有機電界発光素子は、基板１に支持されていることが好ましく、基板としては、特に限定するものではないが、透明ないし半透明であることが好ましく、例えば、ガラス板、透明プラスチックシート（例えば、ポリエステル、ポリカーボネート、ポリスルフォン、ポリメチルメタアクリレートなどのシート）、半透明プラスチックシート、石英、あるいはこれらを組み合わせた複合シートからなるものを挙げることができる。
さらに、基板に、例えば、カラーフィルター膜、色変換膜、誘電体反射膜を組み合わせて、発光色をコントロールしたものを使用できる。
【０１６８】
陽極２としては、比較的仕事関数の大きい金属、合金または電気電導性化合物を電極物質として使用することが好ましい。
陽極に使用する電極物質としては、例えば、金、白金、ニッケル、パラジウム、酸化錫、酸化亜鉛、ＩＴＯ（インジウム・ティン・オキサイド）、ポリチオフェン、ポリピロールなどを挙げることができる。これらの電極物質は、単独で使用してもよく、あるいは複数併用してもよい。
陽極は、これらの電極物質を、例えば、蒸着、スパッタリング等の方法により、基板の上に形成することができる。
陽極のシート電気抵抗は、好ましくは、数百Ω／□以下、より好ましくは、１０〜５０Ω／□程度に設定する。
陽極の厚みは、使用する電極物質の材料にもよるが、一般に、５〜１０００ｎｍ程度、より好ましくは、１０〜５００ｎｍ程度に設定する。
【０１６９】
正孔注入輸送層３は、陽極からの正孔（ホール）の注入を容易にする機能、そして注入された正孔を輸送する機能を有する化合物を含有する層である。
正孔注入輸送層に使用する正孔注入輸送機能を有する化合物としては、例えば、フタロシアニン誘導体、トリアリールメタン誘導体、トリアリールアミン誘導体、オキサゾール誘導体、ヒドラゾン誘導体、スチルベン誘導体、ピラゾリン誘導体、ポリフェニレンビニレンおよびその誘導体、ポリチオフェンおよびその誘導体、ポリシラン誘導体などを挙げることができる。尚、正孔注入輸送機能を有する化合物は、単独で使用してもよく、あるいは複数併用してもよい。
【０１７０】
発光層４は、正孔および電子の注入機能、それらの輸送機能、正孔と電子の再結合により励起子を生成させる機能を有する化合物を含有する層である。
発光層は、化合物Ａおよび／または他の発光機能を有する蛍光性化合物（例えば、キナクリドン誘導体、多環芳香族化合物〔例えば、ルブレン、アントラセン、テトラセン、ピレン、ペリレン、クリセン、コロネン、テトラフェニルシクロペンタジエン、ペンタフェニルシクロペンタジエン〕、有機金属錯体〔例えば、トリス（８−キノリノラート）アルミニウム、ビス（１０−ベンゾ[h] キノリノラート）ベリリウム、２−（２’−ヒドロキシフェニル）ベンゾオキサゾールの亜鉛塩、２−（２’−ヒドロキシフェニル）ベンゾチアゾールの亜鉛塩〕、スチルベン誘導体〔例えば、１，１，４，４−テトラフェニル−１，３−ブタジエン、４，４’−（２，２−ジフェニルビニル）ビフェニル〕、クマリン誘導体、ベンゾチアゾール誘導体、ベンゾオキサゾール誘導体、ベンゾイミダゾール誘導体など）を少なくとも１種用いて形成することができる。本発明の有機電界発光素子においては、発光層に化合物Ａを含有していることが好ましい。化合物Ａと他の発光機能を有する化合物を併用する場合、発光層中に占める化合物Ａの割合は、好ましくは、３０重量％以上、より好ましくは、５０重量％以上に調製するのが望ましい。  電子注入輸送層５は、陰極からの電子の注入を容易にする機能、そして注入された電子を輸送する機能を有する化合物を含有する層である。
電子注入輸送層は、化合物Ａおよび／または他の電子注入輸送機能を有する化合物（例えば、有機金属錯体〔例えば、トリス（８−ヒドロキシキノリノ）アルミニウム、ビス（１０−ヒドロキシベンゾ[h] キノリノ）ベリリウム〕、オキサジアゾール誘導体、トリアゾール誘導体、トリアジン誘導体、ペリレン誘導体、キノリン誘導体、キノキサリン誘導体、ジフェニルキノン誘導体、ニトロ置換フルオレノン誘導体など）を少なくとも１種用いて形成することができる。本発明の有機電界発光素子においては、電子注入輸送層に、化合物Ａを含有していることが好ましい。化合物Ａと他の電子注入輸送機能を有する化合物を併用する場合、電子注入輸送層中に占める化合物Ａの割合は、好ましくは、３０重量％以上、より好ましくは、５０重量％以上に調製するのが望ましい。
【０１７１】
陰極６としては、比較的仕事関数の小さい金属、合金または電気電導性化合物を電極物質として使用することが好ましい。
陰極に使用する電極物質としては、例えば、リチウム、ナトリウム、ナトリウム−カリウム合金、カルシウム、マグネシウム、マグネシウム−銀合金、マグネシウム−インジウム合金、インジウム、アルミニウム、アルミニウム−リチウム合金、アルミニウム−カルシウム合金、グラファイト薄膜などを挙げることができる。これらの電極物質は、単独で使用してもよく、あるいは複数併用してもよい。陰極は、これらの電極物質を、例えば、蒸着、スパッタリング等の方法により、電子注入輸送層の上に形成することができる。
尚、陰極のシート電気抵抗は、数百Ω／□以下に設定するのが好ましい。
陰極の厚みは、使用する電極物質の材料にもよるが、一般に、５〜１０００ｎｍ程度、より好ましくは、１０〜５００ｎｍ程度に設定する。
尚、有機電界発光素子の発光を効率よく取り出すために、陽極または陰極の少なくとも一方の電極が、透明ないし半透明であることが好ましく、一般に、発光光の透過率が７０％以上となるように陽極の材料、厚みを設定することがより好ましい。
【０１７２】
また、本発明の有機電界発光素子においては、その少なくとも一層中に、一重項酸素クエンチャーが含有されていてもよい。一重項酸素クエンチャーとしては、特に限定するものではなく、例えば、ルブレン、ニッケル錯体、ジフェニルイソベンゾフランなどが挙げられ、特に好ましくは、ルブレンである。
一重項酸素クエンチャーが含有されている層としては、特に限定するものではないが、好ましくは、正孔注入輸送層である。尚、正孔注入輸送層に一重項酸素クエンチャーを含有させる場合、正孔注入輸送層中に均一に含有させてもよく、正孔注入輸送層と隣接する層（例えば、発光層、発光機能を有する電子注入輸送層）の近傍に含有させてもよい。
一重項酸素クエンチャーの含有量としては、含有される層（例えば、正孔注入輸送層）を構成する全体量の０．１〜５０重量％、好ましくは、０．１〜３０重量％、より好ましくは、０．１〜２０重量％である。
【０１７３】
正孔注入輸送層、発光層、電子注入輸送層の形成方法に関しては、特に限定するものではなく、例えば、真空蒸着法、溶液塗布法（例えば、スピンコート法、キャスト法、ディップコート法、バーコート法、ロールコート法、ラングミュア・ブロゼット法など）により薄膜を形成することにより作製することができる。
真空蒸着法により、薄膜を形成する場合、真空蒸着の条件は、特に限定するものではないが、１０-5Torr程度以下の真空下で、０．００５〜５０ｎｍ／sec 程度の蒸着速度で実施することが好ましい。この場合、正孔注入輸送層、発光層、電子注入輸送層等の各層は、真空下で、連続して形成することにより、諸特性に一層優れた有機電界発光素子を製造することができる。
真空蒸着法により、正孔注入輸送層、発光層、電子注入輸送層等の各層を、複数の化合物を用いて形成する場合、化合物を入れた各ボートを個別に温度制御して、共蒸着することが好ましい。
【０１７４】
溶液塗布法により、薄膜を形成する場合、各構成層を形成する成分あるいはその成分とバインダー樹脂等を、適当な有機溶媒（例えば、ヘキサン、オクタン、デカン、トルエン、キシレン、エチルベンゼン、１−メチルナフタレン等の炭化水素系溶媒、例えば、アセトン、メチルエチルケトン、メチルイソブチルケトン、シクロヘキサノン等のケトン系溶媒、例えば、クロロホルム、ジクロロエタン、トリクロロエタン、テトラクロロエタン、クロロベンゼン、ジクロロベンゼン、クロロトルエン等のハロゲン化炭化水素系溶媒、例えば、酢酸エチル、酢酸ブチル、酢酸アミル等のエステル系溶媒、例えば、メタノール、プロパノール、ブタノール、ペンタノール、ヘキサノール、シクロヘキサノール、メチルセロソルブ、エチルセロソルブ、エチレングリコール等のアルコール系溶媒、例えば、ジブチルエーテル、テトラヒドロフラン、ジオキサン、アニソール等のエーテル系溶媒、例えば、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルフォキサイド等の極性溶媒）に溶解、または分散させて塗布液とし、各種の塗布法により、薄膜を形成することができる。
溶液の濃度に関しては、特に限定するものではなく、実施する塗布法により、所望の厚みを作製するに適した濃度範囲に設定することができ、一般には、１〜５０重量％程度、好ましくは、３〜３０重量％程度の溶液濃度である。
【０１７５】
正孔注入輸送層、発光層、電子注入輸送層の各層に使用しうるバインダー樹脂としては、例えば、ポリ−Ｎ−ビニルカルバゾール、ポリカーボネート、ポリアリレート、ポリエステル、ポリスチレン、ポリシロキサン、ポリメチルアクリレート、ポリメチルメタアクリレート、ポリエーテル、ポリエーテルスルフォン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体等の高分子化合物が挙げられる。
【０１７６】
尚、作製した素子に対し、酸素や水分等との接触を防止する目的で、保護層（封止層）を設けることができる。
保護層に使用する材料としては、例えば、有機高分子材料（例えば、フッ素化樹脂、ポリエステル、ポリカーボネート、ポリアミド、ポリイミド、ポリアミドイミド、ポリパラキシレン、ポリエチレン、ポリフェニレンオキサイド、シリコンオイル）、無機材料（例えば、ダイヤモンド薄膜、アモルファスシリカ）、さらには光硬化性樹脂などを挙げることができる。
また、電極に保護膜として、例えば、金属酸化膜（例えば、酸化アルミニウム）、金属フッ化膜を設けることもできる。
また、例えば、陽極の表面に、例えば、有機リン化合物、ポリシラン、芳香族アミン誘導体、フタロシアニン誘導体から成る界面層（中間層）を設けることもできる。
さらに、電極、例えば、陽極はその表面を、例えば、酸、アンモニア／過酸化水素、あるいはプラズマで処理して使用することもできる。
【０１７７】
本発明の有機電界発光素子は、一般に、直流駆動型の素子として使用されるが、パルス駆動型または交流駆動型の素子としても使用することができる。
尚、印加電圧は、一般に、２〜３０Ｖ程度である。
本発明の有機電界発光素子は、例えば、パネル型光源、各種の発光素子、各種の表示素子、各種の標識、各種のセンサーなどに使用することができる。
【０１７８】
【実施例】
以下、実施例により本発明をさらに詳細に説明するが、勿論、本発明はこれらに限定されるものではない。
実施例１
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Torrに減圧した。
まず、４，４’−ビス〔Ｎ−フェニル−Ｎ−（３”−メチルフェニル）アミノ〕ビフェニルを、蒸着速度０．２ｎｍ／sec で７５ｎｍの厚さに蒸着し、正孔注入輸送層とした。次いで、その上に、例示化合物番号Ｐ−１０の化合物を、蒸着速度０．２ｎｍ／sec で５０ｎｍの厚さに蒸着し、発光層とした。
次に、１，３−ビス〔５’−（ｐ−tert−ブチルフェニル）−１，３，４−オキサジアゾール−２’−イル〕ベンゼンを、蒸着速度０．２ｎｍ／sec で７５ｎｍの厚さに蒸着し、電子注入輸送層とした。
さらにその上に、陰極として、マグネシウム−銀合金（１０：１重量比）を蒸着速度０．２ｎｍ／sec で２００ｎｍの厚さに蒸着して陰極とし、有機電界発光素子を作製した。尚、蒸着は、蒸着槽の減圧状態を保ったまま実施した。
作製した有機電界発光素子に直流電圧を印加し、乾燥雰囲気下、１０ｍＡ／cm2 の定電流密度で連続駆動させた。初期には、６．５Ｖ、輝度４２０ｃｄ／ｍ2 の赤色の発光が確認された。輝度の半減期は６００時間であった。
【０１７９】
実施例２〜３８
実施例１において、発光層として、例示化合物番号Ｐ−１０の化合物を使用する代わりに、例示化合物番号Ｐ−１８の化合物（実施例２）、例示化合物番号Ｐ−２２の化合物（実施例３）、例示化合物番号Ｐ−２８の化合物（実施例４）、例示化合物番号Ｐ−３５の化合物（実施例５）、例示化合物番号Ｐ−３９の化合物（実施例６）、例示化合物番号Ｐ−４８の化合物（実施例７）、例示化合物番号Ｐ−１２５の化合物（実施例８）、例示化合物番号Ｐ−１４９の化合物（実施例９）、例示化合物番号Ｐ−１７７の化合物（実施例１０）、例示化合物番号Ｐ−１８６の化合物（実施例１１）、例示化合物番号Ｐ−１９５の化合物（実施例１２）、例示化合物番号Ｐ−２０１の化合物（実施例１３）、例示化合物番号Ｐ−２０９の化合物（実施例１４）、例示化合物番号Ｐ−２１４の化合物（実施例１５）、例示化合物番号Ｐ−２１５の化合物（実施例１６）、例示化合物番号Ｐ−２１７の化合物（実施例１７）、例示化合物番号Ｐ−２２０の化合物（実施例１８）、例示化合物番号Ｐ−２２２の化合物（実施例１９）、例示化合物番号Ｐ−２２４の化合物（実施例２０）、例示化合物番号Ｐ−２３３の化合物（実施例２１）、例示化合物番号Ｐ−２３８の化合物（実施例２２）、例示化合物番号Ｐ−２４１の化合物（実施例２３）、例示化合物番号Ｐ−２５５の化合物（実施例２４）、例示化合物番号Ｐ−２５８の化合物（実施例２５）、例示化合物番号Ｐ−２７５の化合物（実施例２６）、例示化合物番号Ｐ−２８７の化合物（実施例２７）、例示化合物番号Ｐ−２９０の化合物（実施例２８）、例示化合物番号Ｐ−２９８の化合物（実施例２９）、例示化合物番号Ｐ−３０５の化合物（実施例３０）、例示化合物番号Ｐ−３０８の化合物（実施例３１）、例示化合物番号Ｐ−３３１の化合物（実施例３２）、例示化合物番号Ｐ−３３５の化合物（実施例３３）、例示化合物番号Ｐ−３３７の化合物（実施例３４）、例示化合物番号Ｐ−３４２の化合物（実施例３５）、例示化合物番号Ｐ−３５８の化合物（実施例３６）、例示化合物番号Ｐ−３６２の化合物（実施例３７）、例示化合物番号Ｐ−３７８の化合物（実施例３８）を使用した以外は、実施例１に記載の方法により有機電界発光素子を作製した。それぞれの素子からは赤色の発光が確認された。さらにその特性を調べ、結果を第３表（表１３４〜表１３５）に示した。
【０１８０】
比較例
実施例１において、発光層として、例示化合物番号Ｐ−１０の化合物を使用する代わりに、赤色の代表的な発光剤である式（Ａ）（化６）で表される化合物を使用した以外は、実施例１に記載の方法により有機電界発光素子を作製した。さらにその特性を調べ、結果を第３表に示した。
【０１８１】
【化６】
0003669783.tif 000139
【０１８２】
【表１３４】
0003669783.tif 000140
【０１８３】
【表１３５】
0003669783.tif 000141
【０１８４】
実施例３９
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Torrに減圧した。
まず、４，４’−ビス〔Ｎ−フェニル−Ｎ−（３”−メチルフェニル）アミノ〕ビフェニルを、蒸着速度０．２ｎｍ／sec で７５ｎｍの厚さに蒸着し、正孔注入輸送層とした。次いで、その上に、例示化合物番号Ｎ−８の化合物を、蒸着速度０．２ｎｍ／sec で５０ｎｍの厚さに蒸着し、発光層とした。
次に、１，３−ビス〔５’−（ｐ−tert−ブチルフェニル）−１，３，４−オキサジアゾール−２’−イル〕ベンゼンを、蒸着速度０．２ｎｍ／sec で７５ｎｍの厚さに蒸着し、電子注入輸送層とした。
さらにその上に、陰極として、マグネシウム−銀合金（１０：１重量比）を蒸着速度０．２ｎｍ／sec で２００ｎｍの厚さに蒸着して陰極とし、有機電界発光素子を作製した。尚、蒸着は、蒸着槽の減圧状態を保ったまま実施した。
作製した有機電界発光素子に直流電圧を印加し、乾燥雰囲気下、１０ｍＡ／cm2 の定電流密度で連続駆動させた。初期には、６．５Ｖ、輝度４２０ｃｄ／ｍ2 の黄緑色の発光が確認された。輝度の半減期は６００時間であった。
【０１８５】
実施例４０〜５７
実施例３９において、発光層として、例示化合物番号Ｎ−８の化合物を使用する代わりに、例示化合物番号Ｎ−２６の化合物（実施例４０）、例示化合物番号Ｎ−４１の化合物（実施例４１）、例示化合物番号Ｎ−４９の化合物（実施例４２）、例示化合物番号Ｎ−５１の化合物（実施例４３）、例示化合物番号Ｎ−１７７の化合物（実施例４４）、例示化合物番号Ｎ−１９７の化合物（実施例４５）、例示化合物番号Ｎ−２０５の化合物（実施例４６）、例示化合物番号Ｎ−２１２の化合物（実施例４７）、例示化合物番号Ｎ−２１６の化合物（実施例４８）、例示化合物番号Ｎ−２２０の化合物（実施例４９）、例示化合物番号Ｎ−２２２の化合物（実施例５０）、例示化合物番号Ｎ−２３２の化合物（実施例５１）、例示化合物番号Ｎ−２４０の化合物（実施例５２）、例示化合物番号Ｎ−２４２の化合物（実施例５３）、例示化合物番号Ｎ−３０９の化合物（実施例５４）、例示化合物番号Ｎ−３３６の化合物（実施例５５）、例示化合物番号Ｎ−３４３の化合物（実施例５６）、例示化合物番号Ｎ−３６５の化合物（実施例５７）を使用した以外は、実施例３９に記載の方法により有機電界発光素子を作製した。それぞれの素子からは黄緑色の発光が確認された。さらにその特性を調べ、結果を第４表（表１３６）に示した。
【０１８６】
【表１３６】
0003669783.tif 000142
【０１８７】
実施例５８
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Torrに減圧した。
まず、４，４’−ビス〔Ｎ−フェニル−Ｎ−（３”−メチルフェニル）アミノ〕ビフェニルを、蒸着速度０．２ｎｍ／sec で７５ｎｍの厚さに蒸着し、正孔注入輸送層とした。次いで、その上に、例示化合物番号Ｐ−２１２の化合物を、蒸着速度０．２ｎｍ／sec で５０ｎｍの厚さに蒸着し、発光層とした。
次に、例示化合物番号Ｎ−７６の化合物を、蒸着速度０．２ｎｍ／sec で７５ｎｍの厚さに蒸着し、電子注入輸送層とした。さらにその上に、陰極として、マグネシウム−銀合金（１０：１重量比）を蒸着速度０．２ｎｍ／sec で２００ｎｍの厚さに蒸着して陰極とし、有機電界発光素子を作製した。尚、蒸着は、蒸着槽の減圧状態を保ったまま実施した。
作製した有機電界発光素子に直流電圧を印加し、乾燥雰囲気下、１０ｍＡ／cm2 の定電流密度で連続駆動させた。初期には、６．５Ｖ、輝度４３０ｃｄ／ｍ2 の赤色の発光が確認された。輝度の半減期は６００時間であった。
【０１８８】
実施例５９
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Torrに減圧した。
まず、４，４’−ビス〔Ｎ−フェニル−Ｎ−（３”−メチルフェニル）アミノ〕ビフェニルとルブレンを、それぞれ０．２ｎｍ／sec 、０．０２ｎｍ／sec の蒸着速度でトータル７５ｎｍの厚さに蒸着し、正孔注入輸送層とした。
次いで、その上に、例示化合物番号Ｎ−２２０の化合物を蒸着速度０．２ｎｍ／sec で５０ｎｍの厚さに蒸着し、発光層兼電子注入輸送層とした。
さらにその上に、陰極として、マグネシウム−銀合金（１０：１重量比）を蒸着速度０．２ｎｍ／sec で２００ｎｍの厚さに蒸着して陰極とし、有機電界発光素子を作製した。尚、蒸着は、蒸着槽の減圧状態を保ったまま実施した。
作製した有機電界発光素子に直流電圧を印加し、乾燥雰囲気下、１０ｍＡ／cm2 の定電流密度で連続駆動させた。初期には、６．４Ｖ、輝度４８０ｃｄ／ｍ2 の黄緑色の発光が確認された。輝度の半減期は１０００時間であった。
【０１８９】
実施例６０
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Torrに減圧した。
まず、例示化合物番号Ｐ−２１９の化合物を蒸着速度０．２ｎｍ／sec で、７０ｎｍの厚さに蒸着し、発光層とした。
次いで、例示化合物番号Ｎ−８１５の化合物を、０．１ｎｍ／sec の蒸着速度で５５ｎｍの厚さに蒸着し、電子注入輸送層とした。
さらにその上に、陰極として、マグネシウム−銀合金（１０：１重量比）を蒸着速度０．２ｎｍ／sec で２００ｎｍの厚さに蒸着して陰極とし、有機電界発光素子を作製した。尚、蒸着は、蒸着槽の減圧状態を保ったまま実施した。
作製した有機電界発光素子に直流電圧を印加し、乾燥雰囲気下、１０ｍＡ／cm2 の定電流密度で連続駆動させた。初期には、６．５Ｖ、輝度４４０ｃｄ／ｍ2 の赤色の発光が確認された。輝度の半減期は６００時間であった。
【０１９０】
実施例６１
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Torrに減圧した。
まず、例示化合物番号Ｐ−２１４の化合物を、蒸着速度０．２ｎｍ／sec で５５ｎｍの厚さに蒸着し、発光層とした。
次いで、その上に、１，３−ビス〔５’−（ｐ−tert−ブチルフェニル）−１，３，４−オキサジアゾール−２’−イル〕ベンゼンを、蒸着速度０．２ｎｍ／sec で７５ｎｍの厚さに蒸着し、電子注入輸送層とした。
さらにその上に、陰極として、マグネシウム−銀合金（１０：１重量比）を蒸着速度０．２ｎｍ／sec で２００ｎｍの厚さに蒸着して陰極とし、有機電界発光素子を作製した。尚、蒸着は、蒸着槽の減圧状態を保ったまま実施した。
作製した有機電界発光素子に直流電圧を印加し、乾燥雰囲気下、１０ｍＡ／cm2 の定電流密度で連続駆動させた。初期には、６．２Ｖ、輝度４２０ｃｄ／ｍ2 の赤色の発光が確認された。輝度の半減期は６２０時間であった。
【０１９１】
【発明の効果】
本発明により、発光寿命が長く、耐久性に優れた有機電界発光素子を提供することが可能になった。
【図面の簡単な説明】
【図１】有機電界発光素子の一例の概略構造図である。
【図２】有機電界発光素子の一例の概略構造図である。
【図３】有機電界発光素子の一例の概略構造図である。
【図４】有機電界発光素子の一例の概略構造図である。
【符号の説明】
１：基板
２：陽極
３：正孔注入輸送層
４：発光層
５：電子注入輸送層
６：陰極
７：電源
【図１】
0003669783.tif 000145
【図２】
0003669783.tif 000146
【図３】
0003669783.tif 000147
【図４】
0003669783.tif 000148